(57)【特許請求の範囲】
【請求項１】
一方の面が設置面の側に配置され、他方の面の側に物品が取り付けられる、前記一方の面と前記他方の面とを貫通する円形状の貫通穴を備える取り付け具本体と、
一端に前記設置面へ接着する接着部を有し、前記貫通穴に前記取り付け具本体の前記他方の面の側から前記一方の面の側へ挿通されて前記取り付け具本体の前記一方の面から前記接着部が突出する円柱状の固定具とを具備し、
前記固定具は前記貫通穴に回動可能に挿通されていることを特徴とする物品の取付具。
【請求項２】
前記固定具は、他端の側に前記固定具の前記貫通穴への挿通を停止する挿通停止部を有することを特徴とする請求項１に記載の物品の固定具。
【請求項３】
前記挿通停止部は、前記固定具の他端の側の側面の円周に沿って設けられた少なくとも一対のつば部であることを特徴とする請求項２に記載の物品固定具。
【請求項４】
前記取り付け具本体の前記他方の面の前記貫通穴の周辺部に設けられ、前記貫通穴の円周に沿って溝部が形成された少なくとも一対の立設部と、前記一対のつば部とからなる連結部で前記取り付け具本体と前記固定具が連結されることを特徴とする請求項３に記載の物品の取り付け具。
【請求項５】
一方の面が設置面の側に配置され、他方の面の側に物品が取り付けられる、前記一方の面と前記他方の面とを貫通する円形状の貫通穴を備える取り付け具本体と、
一端に前記設置面へ接着する接着部を有し、前記貫通穴に前記取り付け具本体の前記他方の面の側から前記一方の面の側へ挿通されて前記取り付け具本体の前記一方の面から前記接着部が突出する円柱状の固定具とを具備し、
前記固定具は前記貫通穴に回動可能に挿通され、
前記取り付け具本体の前記他方の面の前記貫通穴の周辺部に設けられ、前記貫通穴の円周に沿って突起部が形成された少なくとも一対の立設部と、前記固定具の側面の円周に沿って設けられた少なくとも一対の溝部とからなる連結部で前記取り付け具本体と前記固定具が連結されることを特徴とする物品の取り付け具。
【請求項６】
前記立設部と前記立設部に当接する前記固定具の側面とには、互いに相補的に嵌合する凸部及び凹部が各々形成され、該凸部及び凹部の嵌合を介して前記連結部の連結が係止されることを特徴とする請求項４又は請求項５に記載の物品の取り付け具。
【請求項７】
前記固定具の他端の側に、前記固定具を前記貫通穴の円周方向に回転させることで前記接着部による前記設置面への接着を解除する取り外し部を備えることを特徴とする請求項１乃至請求項６に記載の物品の取り付け具。
【請求項８】
前記貫通穴と該貫通穴に挿通される前記固定具を複数備えることを特徴とする請求項１乃至請求項７に記載の物品の取り付け具。
【請求項９】
前記取り付け具本体の前記他方の面に、前記固定具が突出しないようにする盛り部が備えられていることを特徴とする請求項１乃至請求項８に記載の物品の取り付け具。
【請求項１０】
前記取り付け部本体に、物品を取り付ける物品取り付け部が備えられていることを特徴とする請求項１乃至請求項９に記載の物品の取り付け具。
【請求項１１】
物品と一体化した物品の取り付け具であって、
設置面の側に配置される一方の面と、他方の面と、前記一方の面と前記他方の面とを貫通する円形状の貫通穴と、を備える取り付け具本体と、
一端に前記設置面へ接着する接着部を有し、前記貫通穴に前記取り付け具本体の前記他方の面の側から前記一方の面の側へ挿通されて前記取り付け具本体の前記一方の面から前記接着部が突出する円柱状の固定具とを具備し、
前記固定具は前記貫通穴に回動可能に挿通されていることを特徴とする物品の取付具。
【請求項１２】
前記固定具は、他端の側に前記固定具の前記貫通穴への挿通を停止する挿通停止部を有することを特徴とする請求項１１に記載の物品の固定具。
【請求項１３】
前記挿通停止部は、前記固定具の他端の側の側面の円周に沿って設けられた少なくとも一対のつば部であることを特徴とする請求項１２に記載の物品固定具。
【請求項１４】
前記取り付け具本体の前記他方の面の前記貫通穴の周辺部に設けられ、前記貫通穴の円周に沿って溝部が形成された少なくとも一対の立設部と、前記一対のつば部とからなる連結部で前記取り付け具本体と前記固定具が連結されることを特徴とする請求項１３に記載の物品の取り付け具。
【請求項１５】
物品と一体化した物品の取り付け具であって、
設置面の側に配置される一方の面と、他方の面と、前記一方の面と前記他方の面とを貫通する円形状の貫通穴と、を備える取り付け具本体と、
一端に前記設置面へ接着する接着部を有し、前記貫通穴に前記取り付け具本体の前記他方の面の側から前記一方の面の側へ挿通されて前記取り付け具本体の前記一方の面から前記接着部が突出する円柱状の固定具とを具備し、
前記固定具は前記貫通穴に回動可能に挿通され、
前記取り付け具本体の前記他方の面の前記貫通穴の周辺部に設けられ、前記貫通穴の円周に沿って突起部が形成された少なくとも一対の立設部と、前記固定具の側面の円周に沿って設けられた少なくとも一対の溝部とからなる連結部で前記取り付け具本体と前記固定具が連結されることを特徴とする物品の取り付け具。
【請求項１６】
前記立設部と前記立設部に当接する前記固定具の側面とには、互いに相補的に嵌合する凸部及び凹部が各々形成され、該凸部及び凹部の嵌合を介して前記連結部の連結が係止されることを特徴とする請求項１４又は請求項１５に記載の物品の取り付け具。
【請求項１７】
前記固定具の他端の側に、前記固定具を前記貫通穴の円周方向に回転させることで前記接着部による前記設置面への接着を解除する取り外し部を備えることを特徴とする請求項１１乃至請求項１６に記載の物品の取り付け具。
【請求項１８】
前記貫通穴と該貫通穴に挿通される前記固定具を複数備えることを特徴とする請求項１１乃至請求項１７に記載の物品の取り付け具。
【発明の詳細な説明】
【技術分野】
【０００１】  本発明は、壁面や天井面に取り付ける物品の取り付け具に関する。
【背景技術】
【０００２】  従来、壁面や天井面等の設置面に取り付けて使用する物品として、例えば特許文献１や特許文献２のようなガス漏れ警報、不完全燃焼警報、火災警報、防災検知器等の警報器が知られている。【０００３】  このような従来の警報器は、特許文献１に開示されるように、取付用ピンによって警報器の筐体を石こうボード等の壁面に取り付けられていたり、特許文献２に開示されるように、警報器の裏面に設けた取付け金具に、ネジを挿通するためのネジ孔を設け、このネジ孔にネジを挿通させて天井面や壁面にネジ込むことによって、天井面や壁面に取付けられていた。【０００４】  また、火災警報器について、消防法等の改正により住宅への設置が順次義務付けられることになった。このため、様々な種類の火災警報器がホームセンター等で市販されている。【０００５】  このような市販の火災警報器は、各家庭で簡便に取り付けられるように、警報器本体と警報器本体をねじ込みや嵌め合わせ等で一体化する取り付けベースとから構成され、この取り付けベースを予め壁面や天井面にネジ等で取り付けておいてから警報器本体を該取り付けベースに嵌め合わせ等で設置するものが大半である。
【先行技術文献】
【特許文献】
【０００６】
【特許文献１】  特開２００６−１２７４４７号公報
【特許文献２】  特開平１０−１０５８４９号公報
【発明の概要】
【発明が解決しようとする課題】
【０００７】  しかしながら、これらの市販されている火災報知器を取り付ける作業は、壁面や天井面等の設置面がコンクリート製である場合にはネジを設置面にねじ込む前に下穴が必要であったり、また、設置面が木製である場合でも、特許文献２に開示されるような警報器を脚立等の上に立って設置面である天井面にネジ止めする作業は、普段、日曜大工を行わない設置者にとっては大変な作業となる。【０００８】  ましてや、特許文献１に開示されるような、石膏ボード製の壁面に警報器を取り付ける作業は、石膏ボード取り付け用の特殊ネジや特殊釘を設置面に対して斜めに取り付けなければならない等、一般の設置者にとって困難な作業となる。
【課題を解決するための手段】
【０００９】  この発明の目的は、上述した事情に鑑みなされたもので、この発明の主たる目的は、誰にとっても容易に物品を設置面に取り付けることが可能となる物品の取り付け具を提供することである。【００１０】  上述した課題を解決し、目的を達成するため、この発明に係わる物品の取り付け具は、請求項１の記載によれば、一方の面が設置面の側に配置され、他方の面の側に物品が取り付けられる、前記一方の面と前記他方の面とを貫通する円形状の貫通穴を備える取り付け具本体と、一端に前記設置面へ接着する接着部を有し、前記貫通穴に前記取り付け具本体の前記他方の面の側から前記一方の面の側へ挿通されて前記取り付け具本体の前記一方の面から前記接着部が突出する円柱状の固定具とを具備し、前記固定具は前記貫通穴に回動可能に挿通されていることを特徴とする。【００１１】  上述した課題を解決し、目的を達成するため、この発明に係わる物品の取り付け具は、請求項２の記載によれば、前記固定具は、他端の側に前記固定具の前記貫通穴への挿通を停止する挿通停止部を有することを特徴とする。【００１２】  上述した課題を解決し、目的を達成するため、この発明に係わる物品の取り付け具は、請求項３の記載によれば、前記挿通停止部は、前記固定具の他端の側の側面の円周に沿って設けられた少なくとも一対のつば部であることを特徴とする。【００１３】  上述した課題を解決し、目的を達成するため、この発明に係わる物品の取り付け具は、請求項４の記載によれば、前記取り付け具本体の前記他方の面の前記貫通穴の周辺部に設けられ、前記貫通穴の円周に沿って溝部が形成された少なくとも一対の立設部と、前記一対のつば部とからなる連結部で前記取り付け具本体と前記固定具が連結されることを特徴とする。【００１４】  上述した課題を解決し、目的を達成するため、この発明に係わる物品の取り付け具は、請求項５の記載によれば、一方の面が設置面の側に配置され、他方の面の側に物品が取り付けられる、前記一方の面と前記他方の面とを貫通する円形状の貫通穴を備える取り付け具本体と、一端に前記設置面へ接着する接着部を有し、前記貫通穴に前記取り付け具本体の前記他方の面の側から前記一方の面の側へ挿通されて前記取り付け具本体の前記一方の面から前記接着部が突出する円柱状の固定具とを具備し、前記取り付け具本体の前記他方の面の前記貫通穴の周辺部に設けられ、前記貫通穴の円周に沿って突起部が形成された少なくとも一対の立設部と、前記固定具の側面の円周に沿って設けられた少なくとも一対の溝部とからなる連結部で前記取り付け具本体と前記固定具が連結されることを特徴とする。【００１５】  上述した課題を解決し、目的を達成するため、この発明に係わる物品の取り付け具は、請求項６の記載によれば、前記立設部と前記立設部に当接する前記固定具の側面とには、互いに相補的に嵌合する凸部及び凹部が各々形成され、該凸部及び凹部の嵌合を介して前記連結部の連結が係止されることを特徴とする。【００１６】  上述した課題を解決し、目的を達成するため、この発明に係わる物品の取り付け具は、請求項７の記載によれば、前記固定具の他端の側に、前記固定具を前記貫通穴の円周方向に回転させることで前記接着部に��る前記設置面への接着を解除する取り外し部を備えることを特徴とする。【００１７】  上述した課題を解決し、目的を達成するため、この発明に係わる物品の取り付け具は、請求項８の記載によれば、前記貫通穴と該貫通穴に挿通される前記固定具を複数備えることを特徴とする。【００１８】  上述した課題を解決し、目的を達成するため、この発明に係わる物品の取り付け具は、請求項９の記載によれば、前記取り付け具本体の前記他方の面に、前記固定具が突出しないようにする盛り部が備えられていることを特徴とする。【００１９】  上述した課題を解決し、目的を達成するため、この発明に係わる物品の取り付け具は、請求項１０の記載によれば、前記取り付け部本体に、物品を取り付ける物品取り付け部が備えられていることを特徴とする。【００２０】  上述した課題を解決し、目的を達成するため、この発明に係わる物品の取り付け具は、請求項１１の記載によれば、物品と一体化した物品の取り付け具であって、設置面の側に配置される一方の面と、他方の面と、前記一方の面と前記他方の面とを貫通する円形状の貫通穴と、を備える取り付け具本体と、一端に前記設置面へ接着する接着部を有し、前記貫通穴に前記取り付け具本体の前記他方の面の側から前記一方の面の側へ挿通されて前記取り付け具本体の前記一方の面から前記接着部が突出する円柱状の固定具とを具備し、前記固定具は前記貫通穴に回動可能に挿通されていることを特徴とする。【００２１】  上述した課題を解決し、目的を達成するため、この発明に係わる物品の取り付け具は、請求項１２の記載によれば、前記固定具は、他端の側に前記固定具の前記貫通穴への挿通を停止する挿通停止部を有することを特徴とする。【００２２】  上述した課題を解決し、目的を達成するため、この発明に係わる物品の取り付け具は、請求項１３の記載によれば、前記挿通停止部は、前記固定具の他端の側の側面の円周に沿って設けられた少なくとも一対のつば部であることを特徴とする。【００２３】  上述した課題を解決し、目的を達成するため、この発明に係わる物品の取り付け具は、請求項１４の記載によれば、前記取り付け具本体の前記他方の面の前記貫通穴の周辺部に設けられ、前記貫通穴の円周に沿って溝部が形成された少なくとも一対の立設部と、前記一対のつば部とからなる連結部で前記取り付け具本体と前記固定具が連結されることを特徴とする。【００２４】  上述した課題を解決し、目的を達成するため、この発明に係わる物品の取り付け具は、請求項１５の記載によれば、物品と一体化した物品の取り付け具であって、設置面の側に配置される一方の面と、他方の面と、前記一方の面と前記他方の面とを貫通する円形状の貫通穴と、を備える取り付け具本体と、一端に前記設置面へ接着する接着部を有し、前記貫通穴に前記取り付け具本体の前記他方の面の側から前記一方の面の側へ挿通されて前記取り付け具本体の前記一方の面から前記接着部が突出する円柱状の固定具とを具備し、前記取り付け具本体の前記他方の面の前記貫通穴の周辺部に設けられ、前記貫通穴の円周に沿って突起部が形成された少なくとも一対の立設部と、前記固定具の側面の円周に沿って設けられた少なくとも一対の溝部とからなる連結部で前記���り付け具本体と前記固定具が連結されることを特徴とする。【００２５】  上述した課題を解決し、目的を達成するため、この発明に係わる物品の取り付け具は、請求項１６の記載によれば、前記立設部と前記立設部に当接する前記固定具の側面とには、互いに相補的に嵌合する凸部及び凹部が各々形成され、該凸部及び凹部の嵌合を介して前記連結部の連結が係止されることを特徴とする。【００２６】  上述した課題を解決し、目的を達成するため、この発明に係わる物品の取り付け具は、請求項１７の記載によれば、前記固定具の他端の側に、前記固定具を前記貫通穴の円周方向に回転させることで前記接着部による前記設置面への接着を解除する取り外し部を備えることを特徴とする。【００２７】  上述した課題を解決し、目的を達成するため、この発明に係わる物品の取り付け具は、請求項１８の記載によれば、前記貫通穴と該貫通穴に挿通される前記固定具を複数備えることを特徴とする。
【発明の効果】
【００２８】  この発明によれば、誰にとっても容易に物品を設置面に取り付けることが可能となる物品の取り付け具を提供することができる。【００２９】  また、この発明により、物品を設置面から容易に取り外すことが可能となる物品の取り付け具を提供することができる。
【図面の簡単な説明】
【００３０】
【図１】  第１の実施例の物品の取り付け具を示す表面斜視図
【図２】  第１の実施例の物品の取り付け具を示す裏面斜視図
【図３】  第１の実施例の取り付け具本体を示す表面斜視図
【図４】  第１の実施例の固定具を示す斜視図
【図５】  第２の実施例の物品の取り付け具を示す斜視図
【発明を実施するための形態】
【実施例】
【００３１】  以下に図面を用いて本発明の実施例を説明する。なお、この実施例において、本発明の物品の取り付け具で取り付けられる物品は主に火災警報器としているが、これに限定されるものではない。具体的には、ガス漏れ警報器、不完全燃焼警報器、防災検知器にも適用可能であるとともに、その他の壁面、天井面または床面等の設置面に固定設置する物品であれば、本発明の物品の取り付け具が適用可能である。【００３２】  ＜第１の実施例＞
最初に図１乃至図４を用いて、本発明の第１の実施例の物品の取り付け具１０を説明する。図１は、物品の取り付け具１０を示す表面斜視図である。図２は、物品の取り付け具１０を示す裏面斜視図である。図３は、取り付け具本体１１を示す表面斜視図である。図４は、固定具２０を示す斜視図である。【００３３】  本発明の第１の実施例において、取り付けの対象となる物品であるホームセンター等で市販される火災報知器は、図示しない警報器本体と警報器本体をねじ込みや嵌め合わせ等で一体化する取り付けベースとから構成されている。【００３４】  本発明の物品の取り付け具１０は、該取り付けベースを予め取り付ける取り付け具本体１１と、この取り付け具本体１１を天井面等の設置面に固定する固定具２０とを具備している。【００３５】  図１乃至図３によると、取り付け具本体１１は、プラスチック等の合成樹脂、または各種金属等からなる略円形の板状の形状であり、設置面の側に配置される一方の面としての裏面１２と火災報知器等の物品が取り付けられる他方の面としての表面１３と、裏面１２と表面１３の両方の面に対して垂直な方向に貫通する貫通穴１４を備えている。また貫通穴１４の貫通する方向に垂直な断面の形状は円形状となっている。【００３６】  また、図１、図２及び図４によると、固定具２０は、プラスチック等の合成樹脂、または各種金属等からなる円柱状である。また、該円柱の径は、固定具２０を貫通穴１４に挿通した状態で回動可能となるように、貫通穴１４の穴径より小径に設定されている。【００３７】  この固定具２０は、一端に設置面へ接着する例えば両面接着テープや接着剤からなる接着部２２と、他端に固定具２０を貫通穴１４の円周方向に回転させることで接着部２２による設置面への接着を解除する溝状の取り外し部２６とを有しており、取り付け具本体１１の表面１３の側から裏面１２の側に向かって、接着部２２が取り付け具本体１１の裏面１２の側となるように貫通穴１４に挿通されている。また、接着部２２が取り付け具本体１１の裏面１２から突出するように、接着部２２の厚みや固定具２０の長さ（円柱の軸方向の長さ）や、後に説明する挿通停止部や連結部の位置が設定されている。なお、図１乃至図３の取り付け具本体１１では、この固定具２０が略三角形の頂点の位置となるように３個設けられている。【００３８】  また、図４に示すとおり、固定具２０は、他端の側の側面の円周に沿って、固定具２０の貫通穴１４への挿通を停止する挿通停止部としての一対のつば部２４を有している。【００３９】  この一対のつば部２４の外径は、貫通穴１４の穴径より大径に設定されている。このため、固定具２０を取り付け具本体１１の表面１３の側から裏面１２の側に向かって挿通させていくと、一対のつば部２４が取り付け具本体１１の取り付け具本体１１の表面１３に当接し、固定具２０の貫通穴１４への挿通が停止される。このように、一対のつば部２４は、固定具２０を貫通穴１４に挿通した際に、取り付け具本体１１の裏面１２の側に抜け通ることを防止する挿通停止部となっている。【００４０】  また、挿通停止部としての一対のつば部２４は、固定具２０の挿通を停止させる機能のみならず、固定具２０の一端に設けら��た接着部２２の取り付け具本体１１の裏面１２からの突出を確保できるように設けられている。具体的には、一対のつば部２４の固定具２０の長さ方向（円柱の軸方向）の配置を、固定具２０の一端に設けられた接着部２２が裏面１２から若干突出するよう配置されている。【００４１】  さらに、挿通停止部としての一対のつば部２４は、固定具２０の一端に設けられた接着部２２を設置面である壁面や天井面に接着した際に、取り付け具本体１１が一対のつば部２４と該設置面とで挟み込まれて固定されるように、固定具２０の長さ方向の配置を設定している。このため、本発明の物品の取り付け具で取り付けられる物品は、該物品が取り付けられる取り付け具本体１１と取り付け部本体１１に備えられている貫通穴１４に挿通される、一対のつば部２４を有する固定具２０により、容易に設置面である壁面や天井面に取り付けることが可能となる。なお、固定具２０の一端に設けられた接着部２２の裏面１２からの突出の度合いは、取り付け具本体１１が一対のつば部２４と該設置面とで挟み込まれて充分に固定される程度となっている。【００４２】  また、図１及び図２に示すとおり、取り付け具本体１１と固定具２０は、取り付け具本体１１の表面１３の側に物品が取り付けられた状態において、外れないように連結部で連結されている。【００４３】  この連結部は、取り付け具本体１１の表面１３の貫通穴１４の周辺部に設けられ、貫通穴１４の円周に沿って溝部１６が形成された一対の立設部１５と、上述した、円柱状の固定具２０の他端の側の側面の円周に沿って設けられた一対のつば部２４とを備えている。【００４４】  なお、図３に示すとおり、一対の立設部１５は、取り付け部本体１１の貫通穴１４に各々設けられている。また、その配置は、貫通穴１４を挟んで向かい合う位置となっている。【００４５】  また、図４に示すとおり、一対のつば部２４は、円柱形状の固定具２０の側面に各々設けられている。また、その配置は、固定具２０の長さ方向（円柱の軸方向）においては他端の側で、固定具２０の断面方向（円柱の軸に垂直な方向）においては、その断面の円周において向かい合う位置となっている。さらに、一対のつば部２４の固定具２０の長さ方向の配置は、固定具２０を貫通穴１４に挿通した際に固定具２０の一端に設けられた接着部２２が裏面１２から突出するよう配置されている。【００４６】  また、一対のつば部２４の外周は、固定具２０の側面の円周と平行となる形状であり、その外径は、貫通穴１４の穴径よりも大径に設定されると共に、一対の立設部１５に各々設けられた２つの溝部１６で構成される円周（溝部１６は貫通穴１４の円周に沿って形成されているので、貫通穴１４の穴中心と同心の円周となる）の内径より小さく設定されている。このため、固定具２０を取り付け具本体１１の表面１３の側から裏面１２の側に向かって貫通穴１４へ挿通する際には、一対のつば部２４を一対の立設部１５が設けられていない位置で挿通する。【００４７】  また、取り付け具本体１１と固定具２０が外れないように連結する手順は、一対のつば部２４を一対の立設部１５が設けられていない位置にして固定具２０を貫通穴１４に挿通した後に、固定具２０の他端に設けられた溝状の取り外し部２６にコイン等を挿入して固定具２０を貫通穴１４の円周方向に回転させ、一対のつば部２４を一対の立設部１５の各々に設けられた溝部１６に嵌め合わせることで行う。この結果、一対のつば部２４の外径が貫通穴１４の穴径よりも大きいため、固定具２０が貫通穴１４から抜け出ることはないと共に、一対のつば部２４が溝部１６に嵌め合わされているため、固定具２０が貫通穴１４から外れ出ることはない。【００４８】  また、図１乃至図４に示すとおり、立設部１５と該立設部１５に当接する固定具２０の側面とには、互いに相補的に嵌合する凸部及び凹部が各々形成されている。具体的には、立設部１５の各々には凹部１７が設けられ、固定具２０の側面には、各々２個の凸部２７が設けられている。【００４９】  上述した、固定具２０を貫通穴１４の円周方向に回転させ、一対のつば部２４を一対の立設部１５の各々に設けられた溝部１６に嵌め合わせにより、固定具２０の側面に設けられた２個の凸部２７も回転して、立設部１５の各々に設けられた凹部１７に嵌合し、取り付け部本体１１と固定具２０の連結が係止される。このように、凸部２７と凹部１７の嵌合により、固定具２０の予期しない回転が制限されるので、勝手に一対の立設部１５と一対のつば部２４による連結が解除されることがなくなる。【００５０】  また、図１乃至図３に示すとおり、取り付け部本体１１には、市販されている火災報知器の警報器本体をねじ込みや嵌め合わせ等で一体化する取り付けベースを取り付けるための２つの穴状の物品取り付け部１８が設けられている。発明者らが市販されている火災報知器の調査を行ったところ、各メーカの火災報知器の多くにおいて、同一配置で同一形状の取り付け穴が設けられていることが確認されている。本発明の物品の取り付け具１０は、この同一配置で同一形状の取り付け穴に対応した物品取り付け部１８を設けている。なお、この物品取り付け具１８は、２つの穴状のものに限るものではなく、表面１３の側（表面１３を含む）に物品が取り付けられるものであれば、どのようなものでも良い。例えば、両面接着テープを後に説明する盛り部１９に設けても良いし、市販されている火災報知器の警報器本体をねじ込みや嵌め合わせ等で一体化する取り付けベースの取り付け部の構成を本発明の物品取り付け部１８の構成としても良い。【００５１】  また、図１及び図２に示すとおり、取り付け部本体１１には、裏面１２と表面１３の厚みより、裏面１２からの厚みが厚くなるように盛り部１９が設けられている。なお、この盛り部１９の表面（表面１３の側の面）と裏面１２との間の厚みは、固定具２０の一対のつば部２４を一対の立設部１５の各々の溝部１６に嵌め合わせた時の裏面１２と固定具２０の他端との間の厚みより厚いか、または同一に設定されている。また、この第１の実施例における取り付け具本体１１では、盛り部１９は一部の立設部１５と一体化しているとともに、その厚みも同じとなるように設けられているが、裏面１２と立設部１５の表面１３の側の端部までの厚みは盛り部１９の厚みより薄くしてもよい。【００５２】  また、この盛り部１９は全面が同じ厚みの平面となるように設けられているとともに、上述したように該平面��ら突出する箇所がないように設けられている。これは、取り付け部本体１１の表面１３の側（即ち盛り部１９）に取り付けられる物品の底面が壁面や天井面という平面に取り付けるために平面となっているので、盛り部１９に物品の底面が面した際に、盛り部１９と物品の底面との間に隙間が空いて斜めにならないようにするためである。【００５３】  なお、この第１の実施例においては、立設部１５の各々に凹部１７が設けられ、固定具２０の側面に各々２個の凸部２７が設けられていると説明したが、立設部１５の各々に凸部を設け、固定具２０の側面に凹部を設けても良いことは説明するまでもない。【００５４】  また、この第１の実施例において、取り外し部２６は固定具２０の他端に設けられた溝状であると説明したが、固定具２０を貫通穴１４に挿通した状態で回転させることができれば、どのような構成としてもよい。例えば、固定具２０の他端に設けられた十字形の溝にネジ回し用ドライバーを差し込んで回転させる構成や、固定具２０の他端に設けられた固定具２０の回転中心から外れた位置に設けた穴に棒状の道具を差し込んで回転させる構成、または、固定具２０の他端の側の側面に設けられた固定具２０の断面方向に平行な方向の穴に棒状の道具を差し込んで回転させる構成等でも良い。【００５５】  さらに、この第１の実施例において、連結部は、取り付け部本体１１の貫通穴１４に各々設けられた一対の立設部１５と、円柱形状の固定具２０の側面に各々設けられた一対のつば部２４とを備えると説明したが、立設部１５とつば部２４は各々二対以上としてもよいことは説明するまでもない。【００５６】  またさらに、連結部は、取り付け部本体１１に固定具２０が連結されて係止される構成であればどのような構成であっても良く、例えば、取り付け具本体１１の表面１３の貫通穴１４の周辺部に設けられ、貫通穴１４の円周に沿って突起部が形成された一対の立設部と、固定具２０の側面の円周に沿って設けられた一対の溝部とからなる連結部としても良い。【００５７】  さらにまた、貫通穴１４は円形状であり、固定具２０は円柱状であると説明したが、固定具２０を貫通穴１４に挿通した状態で固定具２０が回動可能であり、固定具２０と取り付け部本体１１が連結可能であれば、貫通穴１４の形状と固定具２０の断面形状は真円、楕円を含むどのような円形状としても良い。【００５８】  次に、本発明の物品の取り付け部１０に火災報知器等の物品を取り付けて壁面や天井面等の設置面に取り付ける手順の一例を説明する。【００５９】  最初に、取り付け具本体１１の貫通穴１４へ固定具２０を挿通し、固定具２０の取り外し部２６を回転させて凹部１７と凸部２７を嵌合し、固定具２０と取り付け具本体１１の連結を係止する。【００６０】  次に、市販されている火災報知器の警報器本体を取り付けベースから取り外し、該取り付けベースの取り付け穴を利用して物品取り付け部１８へ取り付けベースを取り付ける。【００６１】  次に、固定具２０の接着部２２の両面接着テープを保護している保護シールを取り外し、壁面または天井面等の設置面に接着固定する。【００６２】  最後に、警報器本体をねじ込みや嵌め合わせ等で取り付けベースへ取り付けて一体化する。なお、警報器本体の取り付けベースへの取り付けは、設置面への接着固定の前に行っても良い。【００６３】  本発明の物品の取り付け具１０は、市販されている火災報知器で一般的な脚立等の上に立って天井面等にネジ止めする作業を行う必要が無く、作業の行いやすい卓上等で予め取り付けベースを物品の取り付け具１０にネジ止めしておき、上述したように設置面への取り付けは両面接着テープ等を利用した貼り付けだけで済むため、取り付けの作業が非常に簡単なものとなる。【００６４】  また、本発明の物品の取り付け具１０は、固定部２０が予め取り付け部本体１１に取り付けられているので、設置面に力強く押しつけることが可能であり、確実に物品を設置面に取り付けることが可能である。【００６５】  また、両面接着テープ等からなる接着部は、同じ面積であれば、１つの接着部よりも複数の接着部を所定間隔を置いて配置した方が接着力が大きくなることが、発明者らの実験で確認されている。この点において、本発明の物品の取り付け具１０は、３個の接着部２２を略三角形の頂点の位置に配置されるように配置しているので、少ない両面接着テープで大きな接着力が得ることが可能となっている。【００６６】  さらに、本発明の物品の取り付け具１０は、３個の接着部２２を略三角形の頂点の位置に配置されるように配置していることと、１個の接着部２２の大きさをあまり大きくしなくとも必要な接着力が得られるので、設置面の凹凸等の状態が良くなくとも確実に物品を設置面に取り付けることが可能である。【００６７】  さらにまた、本発明の物品の取り付け具１０は、接着部２２が裏面１２から突出するように設けられている。この突出の程度は、固定具２０の軸方向の長さや接着部２２の両面接着テープのクッション材で調整されているが、該クッション材の厚みを厚めに設定しておけば、設置面の凹凸等の状態が良くなくとも確実に物品を設置面に取り付けることが可能である。【００６８】  次に、火災報知器等の物品が取り付けられた本発明の物品の取り付け部１０を壁面や天井面等の設置面から取り外す手順の一例を説明する。【００６９】  最初に、取り付けベースにねじ込みや嵌め合わせ等で取り付けられている警報器本体を取り付けベースから取り外す。【００７０】  次に、取り付け具本体１１にネジ止め等で取り付けられている取り付けベースを取り外す。なお、本発明の取り付け具本体１１に直接警報器本体を取り付けられるように物品取り付け部１８を構成してある場合や、取り付けベースの隙間から固定具２０の取り外し部２６が露出している場合には、この作業は必要無くなる。【００７１】  最後に、固定具２０の溝状の取り外し部２６へコイン等を差し込み固定具２０を回転させると、接着部２２の接着固定が解除される。この作業を３個の固定具２０に対して行うことで、取り付け部本体１１を設置面から取り外すことが可能である。【００７２】  なお、この固定具２０を回転の量は、凹部１７と凸部２７の嵌合が解除されて固定具２０と取り付け具本体１１の連結の係止が解除される程度の少ない量で接着部２２の接着固定が解除される。【００７３】  一般に接着剤や両面接着テープ等による設置面の接着固定は、設置面（接着面）に垂直な方向への力（引��張り力）には強く、設置面に平行な方向への力（剪断力）にはあまり強くない。このため、上述した取り付け部本体１１の設置面からの取り外しは、固定具２０をほんの少し回転させることで可能であり、取り外しの作業が非常に簡単である。【００７４】  また、本発明の物品の取り付け具１０は、３個の接着部２２を略三角形の頂点の位置に配置されるように配置していること、また、１個の接着部２２の大きさをあまり大きくしなくとも必要な接着力が得られると上述したが、このため、個々の固定具２０を取り外す際に必要な回転力は非常に小さくて済むので、設置面である壁面や天井面の壁紙が剥がれたり傷つけたりするおそれが少ない。【００７５】  以上のように、本発明の物品の取り付け具１０は、簡便に物品を壁面等の設置面に取り付けられると共に、その取り外しも非常に簡単、かつ、設置面を傷つけるおそれが少ない。【００７６】  ＜第２の実施例＞
次に図５を用いて、本発明の第２の実施例の物品の取り付け具１０を説明する。なお、第１の実施例と同一又は同様の構成については、同一の符号を用いて説明を適宜省略する。【００７７】  図５は、物品の取り付け具３０を示す表面斜視図である。この第２の実施例の物品の取り付け具３０は、物品と一体化した物品の取り付け具であって、図５における物品は、壁面に取り付けてカバン等を掛ける壁掛けフックとなっている。【００７８】  本発明の物品の取り付け具３０は、取り付け具本体３１と、この取り付け具本体３１を壁面等の設置面に固定する固定具２０とを具備している。【００７９】  図５によると、取り付け具本体３１は、プラスチック等の合成樹脂、または各種金属等からなる略矩形の板状の形状であり、設置面の側に配置される一方の面としての裏面３２とカバン等を掛けるフック３４が取り付けられる他方の面としての表面３３と、裏面３２と表面３３の両方の面に対して垂直な方向に貫通する図示しない貫通穴１４を備えている。また貫通穴１４の貫通する方向に垂直な断面の形状は円形状となっている。【００８０】  また、固定具２０は、第１の実施例の固定具２０と同様に、接着部２２、つば部２４、取り外し部２６、凸部２７等が設けられている。また、取り付け具本体３１と固定具２０が外れないように連結部で連結されている点や、取り付け具本体３１に立設部１５、溝部１６、凹部１７等が設けられていることも第１の実施例と同様である。なお、第２の実施例においては、固定具２０は１個となっているが、物品の取り付け具物品３０と一体化した物品の種類や大きさを勘案して複数個設けても良い。【００８１】  このような第２の実施例の物品の取り付け具３０を壁面等の設置面に取り付ける手順は、固定具２０の一端に設けた両面接着テープ等の接着部２２を保護する保護テープを取り外して接着部２２を設置面に接着固定することで行う。また、該物品の取り付け具３０を設置面から取り外す手順は、固定具２０の取り外し部２６へコイン等を差し込み固定具２０を回転させて接着部２２の接着固定を解除することで行う。【００８２】  以上のような、第２の実施例の物品の取り付け具３０は、第１の実施例で説明した物品の取り付け具１０と同様の利点や効果を有する。なお、この第２の実施例の物品の取り付け具３０は、壁掛けフックを想定したため固定具２０は１個であったが、例えばより大きな接着固定の力が必要な物品を壁面や天井面、または床面等の設置面に接着固定する際には、複数の固定具２０を使用することで、第１の実施例で説明した物品の取り付け具１０と同様の利点や効果を得ることが可能である。
【符号の説明】
【００８３】１０・・・物品の取り付け具、  １１・・・取り付け具本体、  １２・・・裏面、  １３・・・表面、  １５・・・立設部、  １６・・・溝部、  １７・・・凹部、  １８・・・物品取り付け部、  １９・・・盛り部、  ２０・・・固定具、  ２２・・・接着部、  ２４・・・つば部、  ２６・・・取り外し部、  ２７・・・凸部、  ３０・・・物品の取り付け具、  ３１・・・取り付け具本体、  ３２・・・裏面、  ３３・・・表面、  ３４・・・フック
【図１】
0005392557.tif 000002
【図２】
0005392557.tif 000003
【図３】
0005392557.tif 000004
【図４】
0005392557.tif 000005
【図５】
0005392557.tif 000006